(57)【要約】【課題】床面形状やポリッシャーの操作に対して追従性があり、また、サイズが異なるポリッシャーへの適用性やその耐久性を改善したポリッシャー用ガードを提供する。【解決手段】ポリッシャーの電装部に取付けられる環状のストッパーリングと、該ストッパーリングの少なくとも二カ所に設けられた伸縮サスペンダーと、該伸縮サスペンダーを介して前記ストッパーリングに懸吊されるガード本体とからなる。また、ガード本体は、その上縁に膨成部を延成すると共に、該膨成部に伸縮サスペンダーの端部が着脱可能に取付けられる係止部を設けてなる。さらに、ガード本体は、裾広がりのスカート部を設けてなる。さらにまた、ガード本体は、その下縁をのこぎり状、波状、凹凸状などの歯形状に成型してなる。【選択図】        図５
2004180975.tif 000002
【特許請求の範囲】
【請求項１】
ポリッシャーの電装部に取付けられる環状のストッパーリングと、該ストッパーリングの少なくとも二カ所に設けられた伸縮サスペンダーと、該伸縮サスペンダーを介して前記ストッパーリングに懸吊されるガード本体とからなることを特徴としたポリッシャー用ガード。
【請求項２】
ガード本体は、その上縁に膨成部を延成すると共に、該膨成部に伸縮サスペンダーの端部が着脱可能に取付けられる係止部を設けてなる請求項１記載のポリッシャー用ガード。
【請求項３】
ガード本体は、裾広がりのスカート部を設けてなる請求項１または２記載のポリッシャー用ガード。
【請求項４】
ガード本体は、回転台を１８０度以上に亘って巻装する長さとし、その両端にポリッシャーの任意箇所に係止可能な別の伸縮サスペンダーを設けてなる請求項１、２または３記載のポリッシャー用ガード。
【請求項５】
ガード本体は、その下縁をのこぎり状、波状、凹凸状などの歯形状に成型してなる請求項１、２、３または４記載のポリッシャー用ガード。
【請求項６】
少なくともガード本体を熱可塑性エラストマーによって成型してなる請求項１から５のうち何れか一項記載のポリッシャー用ガード。
【発明の詳細な説明】
【０００１】
【発明の属する技術分野】
この発明は、電動回転ブラシを備えた床面清掃機（本発明において「ポリッシャー」という。）の前記ブラシを覆うことにより、清掃時に薬液や汚液等が周囲に飛び散るのを防ぎ、またポリッシャーの接触によって幅木等が傷つくのを防ぐポリッシャー用ガードに係り、より詳しくは床面形状やポリッシャーの操作に対する追従性を改善した構造に関するものである。
【０００２】
【従来の技術】
従来、ポリッシャー用ガードは、ブラシを被蔽する幅からなるバンド状のガード本体をブラシの回転台にスカート状に巻装し、その両端をポリッシャーの後ろ側において移動用車輪等を避けながら結合可能とした構成であった。例えば、特許文献１にはガード本体の両端に突部を形成し、該突部同士を紐あるいは嵌脱自在な係止部によって結合する手段が、特許文献２にはガード本体の両端に筒状体を形成し、該筒状体同士をコの字形の変形防止金具によって結合する手段が、また特許文献３にはガード本体の両端をベルベットファスナーによって結合する手段が開示されている。
【０００３】
【特許文献１】
実開平７−５５４２号公報
【特許文献２】
特開平８−８９４６２号公報
【特許文献３】
登録実用新案第３００４９４９号公報
【０００４】
【発明が解決しようとする課題】
従来のポリッシャー用ガードは上述したように、ガード本体をブラシの回転台にスカート状に巻装し、その両端を結合してポリッシャーに固定するものであるが、ガード本体は清掃時にポリッシャーから外れたりブラシと共回りしないように回転台に対して密着した状態で固定される。またこのときガード本体は、薬液等が周囲に飛散しないように、床面と僅かに接触するか僅かな隙間を残して固定される。
【０００５】
しかしながら、このような固定態様では、床面の形状やポリッシャーの使用態様によってはガード本体が床面と擦れて、床面を傷付けたりワックスをこそぎ落としてしまうことがあった。つまり、床面に凹凸があったり、回転台を傾けることによってブラシの一部を床面に強く押し当てて局部的な汚れを落とすような場合（いわゆるこね洗い）は、ガード本体が床面形状や回転台操作に追従せず、床面を擦過してしまうことがあった。
【０００６】
また、ガード本体が可撓性や弾性を有する素材からなるとしても、ガード本体は回転台に密着して巻装されているため、清掃中に幅木等に接触した場合は、ガード本体による緩衝作用がほとんど得られず、当該接触による幅木等の保護機能は十分ではなかった。
【０００７】
また別の課題として、従来技術はガード本体の両端を直結するという結合方法を採るため、その結合位置の調整が利かず、ブラシ径などのサイズが異なるポリッシャーには適用することができないという問題点もある。
【０００８】
さらに、上記適示した特許文献１〜３には、ガード本体の素材について耐薬品性に関する開示がなく、耐久性においても解決すべき課題が残されていたのである。
【０００９】
本発明は上述した課題に鑑みなされたもので、その目的とするところは、床面形状やポリッシャーの操作に対して追従性があるポリッシャー用ガードを提供することである。また、サイズが異なるポリッシャーへの適用性やその耐久性を改善することも創作目的の一つである。
【００１０】
【課題を解決するための手段】
上記目的を達成するために本発明のポリッシャー用カバーは、ポリッシャーの電装部に取付けられる環状のストッパーリングと、該ストッパーリングの少なくとも二カ所に設けられた伸縮サスペンダーと、該伸縮サスペンダーを介して前記ストッパーリングに懸吊されるガード本体とからなる。ストッパーリングは、例えばゴムやポリ塩化ビニル（ＰＣＶ）を無端環状に成型してなり、ポリッシャーの回転台の上に位置してブラシの駆動用モータを内蔵した電装部の外周に巻き付けるなどして取付けられ、伸縮サスペンダーを介してガード本体を懸吊支持するものである。伸縮サスペンダーは、例えばコイルスプリングからなり、ガード本体の上下動を吸収する。また、伸縮サスペンダーを少なくとも２カ所に設けたのでガード本体がブラシと共回りすることを防止する。ガード本体は、ポリッシャーのブラシを被蔽するもので、薬液等の飛散を防止するという基本的機能の他、伸縮サスペンダーによって懸吊支持されているため、床面の形状やポリッシャーの姿勢に応じて上下動する。
【００１１】
請求項２では、ガード本体の上縁に膨成部を延成すると共に、該膨成部に伸縮サスペンダーの端部との係止部を設けた。例えば伸縮サスペンダーの端部をフック形状とし、前記係止部を鳩目とすれば、ガード本体の着脱が容易となる。
【００１２】
請求項３では、ガード本体に裾広がりのスカート部を設けた。該スカート部はポリッシャーの回転台よりも外側に広がるため、回転台が壁面に直接接触することを防ぐ緩衝作用を有すると共に、コード等の巻き込みを防止する。さらに、該スカート部によって回転台のサイズが異なるポリッシャーにも対応して取付けることができる。
【００１３】
請求項４では、ガード本体を回転台を１８０度以上に亘って巻装する長さとし、その両端にポリッシャーの任意箇所に係止可能な別の伸縮サスペンダーを設けた。この手段によれば、当該別の伸縮サスペンダーによってガード本体に回転力が作用してもこれを吸収し、また元の位置に復元する作用を行う。
【００１４】
請求項５では、ガード本体の下縁をのこぎり状、波状、凹凸状などの歯形状に成型した。この手段によれば、当該形状の下縁は床面との接触面積や摩擦抵抗が小さくなって、床面を傷付けたりワックスを剥離させてしまうことがない。
【００１５】
請求項６では、少なくともガード本体を熱可塑性エラストマーによって成型した。この手段によれば、例えば上述したスカート部を有するガード本体も成型が容易に行える。また耐薬品性によって薬液に侵されることなく長期使用に耐え、さらにゴム様の弾性回復、柔軟性によって上述した緩衝作用が高まる。なお、ストッパーリング、伸縮サスペンダーをも熱可塑性エラストマーによって成型することも本発明に含むものとする。
【００１６】
【発明の実施の形態】
以下、本発明の好ましい実施の形態を添付した図面に従って説明する。図１はポリッシャー用ガードの分解斜視図であって、１は無端環状のストッパーリング、２は該ストッパーリング１の二カ所に取付けられた伸縮サスペンダー、３はガード本体である。また、４はガード本体３の両端に取付けられた別の伸縮サスペンダーである。ストッパーリング１はゴムやＰＶＣなど伸縮性を有する素材から成型することが好ましい。ポリッシャーの電装部にしっかりと巻き付けることができ、またサイズが異なる電装部にも対応するからである。伸縮サスペンダー２・４はステンレス製のコイルスプリング２ａ・４ａを伸縮軸として、その両端にオートロック式のフック２ｂ・４ｂを設けたものが好ましい。これら部材は連結作業が容易であり、しかも汎用性があって安価に入手しやすく、また耐薬品性を備えるからである。ガード本体３は熱可塑性エラストマーによって成型することが好ましい。後述する膨成部やスカート部の成型が容易で、しかも耐薬品性による耐久性と弾性による緩衝性に優れるからである。
【００１７】
図２はガード本体３の展開図、図３はガード本体３の断面図である。ガード本体３はポリッシャーの回転台に巻装した際、ブラシを被蔽して薬液や汚液等の飛散を防止する幅からなる。また、ガード本体３の上縁二カ所には膨成部３ａを形成すると共に、該膨成部３ａに伸縮サスペンダー２のフック２ｂが係止可能な鳩目３ｂを形成している。この膨成部３ａは内向きに傾斜しやすいように内面に折り筋３ａ’を形成しており、伸縮サスペンダー２との連結性を担保している。さらにガード本体３は少なくともポリッシャーの回転台を１８０度に亘り巻装する長さを有し、その両端には別の伸縮サスペンダー４の連結用穴３ｃが形成されている。またガード本体３の下一部は裾広がりのスカート部３ｄとして外側に広がっている。またスカート部３ｄの下縁はのこぎり状に成型されている。なお、スカート部３ｄの下縁は波状や凹凸状など他の歯形状であってもよい。
【００１８】
図４は伸縮サスペンダー２・４とストッパーリング１およびガード本体３との連結態様を示したものである。即ち、これら伸縮サスペンダー２・４はフック２ｂ・４ｂによってストッパーリング１またはガード本体３の鳩目３ｂや連結用穴３ｃに着脱可能に係止される。
【００１９】
図５は上記構成のポリッシャー用ガードの装着例を示したものである。本ポリッシャー用ガードをポリッシャーに装着するには、先ずストッパーリング１を電装部１０に装着し、次にガード本体３を回転台１１に巻装した後、伸縮サスペンダー２をガード本体３に連結する。またガード本体３に取付けられた別の伸縮サスペンダー４はポリッシャーの移動用車輪１２付近の適宜箇所に連結される。このように装着された本ポリッシャー用ガードによれば、ガード本体３は伸縮サスペンダー２を介してストッパーリング１に懸吊された状態となり、上下動可能となる。従って、床面に凹凸があったり、例えばこね洗いのような特殊な使用方法をとったとしても、ガード本体３がこれに追従するように上下動し床面の凹凸形状等を伸縮サスペンダー２が吸収するから、ガード本体３との摩擦によって床面を傷付けたりワックスを不用意に刮ぎ落とすことがない。また、ガード本体３の下縁をのこぎり状に成型していることも、当該下縁と床面の接触面積や摩擦抵抗が小さくなるから、この作用をより確実なものとする。
【００２０】
また、ガード本体３のスカート部３ｄは回転台１１よりも先に幅木等に接触して当該衝撃を緩和するため、周辺物品の損傷等も確実に回避される。
【００２１】
さらに、ガード本体３は別の伸縮サスペンダー４によってもポリッシャーに固定されているため、清掃中にガード本体３にブラシの回転軸と同軸の回転力が作用したとしても伸縮サスペンダー４がこれを吸収すると共に、また元の姿勢に復元して薬液等の飛散防止機能を維持する。
【００２２】
【発明の効果】
以上説明したように、本発明によれば床面形状やポリッシャーの使用態様に追従してガード本体が上下動するため、摩擦による床面の擦過やワックスの剥離を防ぐことができる。また、ガード本体の着脱が容易に行える上、ガード本体のみを消耗品として交換することができて経済的である。さらにガード本体にスカート部を設けることによって、緩衝作用を高め、またコード等の巻き込みを確実に防止することができる。またガード本体の両端にポリッシャーの任意箇所に取付け可能な別の伸縮サスペンダーを設けたものにあってはガード本体を回転方向に対して同一姿勢に保つことができるため、薬液等の飛散防止機能が確実に担保される。さらにまた、ガード本体の下縁を歯形状に成型したものにあっては、上述した追従性と相まって、床面およびワックスをより確実に保護する。また、少なくともガード本体を熱可塑性エラストマーにより成型することで、成型容易性、耐久性、緩衝性に優れたポリッシャー用ガードを提供することができるようになる。
【図面の簡単な説明】
【図１】本発明の一実施形態に係るポリッシャー用ガードの分解斜視図
【図２】同ガードにおけるガード本体の展開図
【図３】同ガード本体の断面図
【図４】同ガードにおける伸縮サスペンダーの連結態様を示した説明図
【図５】同ガードの装着例を示した斜視図
【符号の説明】
１  ストッパーリング
２、４  伸縮サスペンダー
３  ガード本体
３ｄ  スカート部
【図１】
2004180975.tif 000003
【図２】
2004180975.tif 000004
【図３】
2004180975.tif 000005
【図４】
2004180975.tif 000006
【図５】
2004180975.tif 000007